(57)【特許請求の範囲】
【請求項１】
遊技盤の盤面に取り付けられる遊技機用入賞装置であって、
前記遊技盤と交差する回動軸線回りにおいて回動可能な一対の回動部材を含むとともに、それら一対の回動部材間に形成される隙間が前記遊技盤を流下する遊技球を受け入れる入賞口とされ、その入賞口が、前記遊技球が１球ごとに進入する第一の開口態様と、該第一の開口態様よりも広く開口する第二の開口態様との少なくとも２つの開口態様となるよう、それら一対の回動部材が相対変位することにより前記遊技球の前記入賞口への入球のし易さが変化する遊技球誘導部材と、
その遊技球誘導部材を前記第一及び第二の開口態様の間で駆動変位させる駆動アクチュエータと、
前記遊技盤の盤面に対して前方側から取り付けられる台板と、
前記回動軸線と直交する投影面において、各回動部材が前記第一及び第二の開口態様にて重複する領域と重合する光軸を有することにより、前記一対の回動部材の下方に位置し、かつ対をなす光軸で前記入賞口を挟んでなす角（以下、光軸挟角という）βが上方に向かうにつれて広がるように形成された光源から、各回動部材に向けて個別に照射する発光手段と、
前記台板に貫通形態でそれぞれ保持されるとともに、前記発光手段を構成する光源がそれぞれ取り付けられ、各光源へ所定の電力を供給する一対の配線基板と、
を備えたことを特徴とする遊技機用入賞装置。
【請求項２】
遊技盤の盤面に取り付けられる遊技機用入賞装置であって、
前記遊技盤と交差する回動軸線回りにおいて回動可能な一対の回動部材を含むとともに、それら一対の回動部材間に形成される隙間が前記遊技盤を流下する遊技球を受け入れる入賞口とされ、その入賞口が、前記遊技球が１球ごとに進入する第一の開口態様と、該第一の開口態様よりも広く開口する第二の開口態様との少なくとも２つの開口態様となるよう、それら一対の回動部材が相対変位することにより前記遊技球の前記入賞口への入球のし易さが変化する遊技球誘導部材と、
その遊技球誘導部材を前記第一及び第二の開口態様の間で駆動変位させる駆動アクチュエータと、
前記遊技盤の盤面に対して前方側から取り付けられる台板と、
前記回動軸線と直交する投影面において、各回動部材が前記第一及び第二の開口態様にて重複する領域と重合する光軸を有することにより、前記一対の回動部材の下方に位置し、かつ対をなす光軸で前記入賞口を挟んでなす角（以下、光軸挟角という）βが下方に向かうにつれて広がるように形成された光源から、各回動部材に向けて個別に照射する発光手段と、
前記台板に貫通形態でそれぞれ保持されるとともに、前記発光手段を構成する光源がそれぞれ取り付けられ、各光源へ所定の電力を供給する一対の配線基板と、
を備えたことを特徴とする遊技機用入賞装置。
【請求項３】
前記光源は、前記配線基板に取り付けられたチップ状のＬＥＤ素子で構成される請求項１又は２に記載の遊技機用入賞装置。
【請求項４】
前記台板の前面側には前記入賞口に続く前記遊技球の流下通路が形成されるとともに、
前記光源は、前記台板の前面よりも前方かつ前記回動部材の下方に位置して前記配線基板に取り付けられる請求項１ないし３のいずれか１項に記載の遊技機用入賞装置。
【請求項５】
前記遊技球誘導部材は、前記一対の回動部材がほぼ平行な回動軸線を有する一対の羽根部材にて構成されるとともに、前記第一の開口態様においてその一対の羽根部材の対向面がほぼ平行となる一方、前記第二の開口態様においてこれら対向面が前記入賞口を挟んでなす角（以下、羽根開き角という）αが９０°≦α≦１８０°となるように設定される遊技機用チューリップであり、
前記光軸挟角βが、β≦９０°となるように設定される請求項１ないし４のいずれか１項に記載の遊技機用入賞装置。
【請求項６】
前記羽根開き角をα、前記光軸挟角をβとしたとき、
β≦α／２
となるように設定される請求項５に記載の遊技機用入賞装置。
【請求項７】
前記配線基板は、前記回動軸線方向の中間部が前記台板に挿通保持されるとともに、その前端部に前記光源、その後端部に電源へ接続するための端子部がそれぞれ取り付けられている請求項１ないし６のいずれか１項に記載の遊技機用入賞装置。
【請求項８】
請求項１ないし７のいずれか１項に記載の遊技機用入賞装置を備えたことを特徴とする遊技機。
【発明の詳細な説明】
【０００１】
【発明の属する技術分野】
本発明は、遊技機用入賞装置及びそれを用いた遊技機に関する。
【０００２】
【従来の技術】
従来、いわゆるチューリップ、役物等の、所定の遊技条件の成立に基づいて遊技球誘導部材（回動翼片、羽根とも称される）が変位する遊技機用入賞装置が広く提供されている。例えば、電動チューリップと称される入賞装置は、一体的に形成される本体部にアクチュエータ、伝達機構、羽根部材等が取り付けられた形態にて利用に供されるものが一般的であった。このような電動チューリップにおいて、その後方側にランプを設けることにより遊技に対する興趣を高めるための工夫が施されたものも見受けられる（例えば、実公平６−４７４９４号公報参照）。
【０００３】
【発明が解決しようとする課題】
ところで、このようなランプ（発光手段）は、ランプ用の配線基板（ランプ基板）の配置場所の制約等により電動チューリップの回動翼片からかなり後方に位置することが多く、入賞装置が前後方向に長くなって大型化する傾向がある。また、回動翼片に十分な光を照射するには、遊技盤の盤面に対して前方側から取り付けられる台板等にランプからの光を透過させるための透孔を大きく開口したり、又はその台板等を透明板で構成したり、若しくは光の反射板や拡散板を設置したりせねばならず、ランプ設置に付随する製造コストが増大するおそれがある。さらに、これらに伴って台板等の遊技盤への取付面積が大きくなる場合には、入賞装置の取付部の大型化も問題になる。
【０００４】
本発明の解決すべき課題は、発光手段の設置に付随する製造コストの増加を抑制し、小型化を図ることのできる遊技機用入賞装置とそれを用いた遊技機を提供することにある。
【０００５】
【課題を解決するための手段及び発明の効果】
上記のような課題を解決するために本発明の遊技機用入賞装置は、
遊技盤の盤面に取り付けられる遊技機用入賞装置であって、
前記遊技盤と交差する回動軸線回りにおいて回動可能な一対の回動部材を含むとともに、それら一対の回動部材間に形成される隙間が前記遊技盤を流下する遊技球を受け入れる入賞口とされ、その入賞口が、前記遊技球が１球ごとに進入する第一の開口態様と、該第一の開口態様よりも広く開口する第二の開口態様との少なくとも２つの開口態様となるよう、それら一対の回動部材が相対変位することにより前記遊技球の前記入賞口への入球のし易さが変化する遊技球誘導部材と、
その遊技球誘導部材を前記第一及び第二の開口態様の間で駆動変位させる駆動アクチュエータと、
前記遊技盤の盤面に対して前方側から取り付けられる台板と、
前記回動軸線と直交する投影面において、各回動部材が前記第一及び第二の開口態様にて重複する領域と重合する光軸を有することにより、前記一対の回動部材の下方に位置し、かつ対をなす光軸で前記入賞口を挟んでなす角（以下、光軸挟角という）βが上方に向かうにつれて広がるように形成された光源から、各回動部材に向けて個別に照射する発光手段と、
前記台板に貫通形態でそれぞれ保持されるとともに、前記発光手段を構成する光源がそれぞれ取り付けられ、各光源へ所定の電力を供給する一対の配線基板と、
を備えたことを特徴とする。
【０００６】
さらに、上記のような課題を解決するために本発明の遊技機用入賞装置は、
遊技盤の盤面に取り付けられる遊技機用入賞装置であって、
前記遊技盤と交差する回動軸線回りにおいて回動可能な一対の回動部材を含むとともに、それら一対の回動部材間に形成される隙間が前記遊技盤を流下する遊技球を受け入れる入賞口とされ、その入賞口が、前記遊技球が１球ごとに進入する第一の開口態様と、該第一の開口態様よりも広く開口する第二の開口態様との少なくとも２つの開口態様となるよう、それら一対の回動部材が相対変位することにより前記遊技球の前記入賞口への入球のし易さが変化する遊技球誘導部材と、
その遊技球誘導部材を前記第一及び第二の開口態様の間で駆動変位させる駆動アクチュエータと、
前記遊技盤の盤面に対して前方側から取り付けられる台板と、
前記回動軸線と直交する投影面において、各回動部材が前記第一及び第二の開口態様にて重複する領域と重合する光軸を有することにより、前記一対の回動部材の下方に位置し、かつ対をなす光軸で前記入賞口を挟んでなす角（以下、光軸挟角という）βが下方に向かうにつれて広がるように形成された光源から、各回動部材に向けて個別に照射する発光手段と、
前記台板に貫通形態でそれぞれ保持されるとともに、前記発光手段を構成する光源がそれぞれ取り付けられ、各光源へ所定の電力を供給する一対の配線基板と、
を備えたことを特徴とする。
【０００７】
これらの遊技機用入賞装置によれば、発光手段が取り付けられかつ発光手段へ所定の電力を供給する配線基板が、遊技盤の盤面に対して前方側から取り付けられる台板に貫通形態で保持されることにより、回動部材の下方空間を有効利用して遊技機用入賞装置の小型化を図ることができる。そして、発光手段を、回動部材の下方に位置する光源から回動部材に向けて照射するように構成することによって、発光手段を照明対象である遊技機用チューリップ等の遊技球誘導部材に近づけることができるので、光の透過孔、透明台板、光の反射板や拡散板といった発光手段の設置に付随する製造コストの上昇を抑えることができる。
【０００８】
このように、発光手段の光軸を、回動部材が第一及び第二の開口態様にて重複する領域と重合するように配置することにより、回動部材に向けて光を効率的かつ集約的に照射して、回動部材を無駄なく照明することができる。したがって、上記したような発光手段の設置に付随する製造コストの増加をさらに抑制し、遊技機用入賞装置の一層の小型化を図ることができる。
【０００９】
なお、本発明において後方側（又は後面側）とは遊技盤の盤面と直交する方向（すなわち前後方向）における遊技機内部に向かう側（すなわち、主制御基板等の種々の基板が設けられる内部機構側）、前方側（又は前面側）とはそれとは反対側の遊技者に対面する側を意味する。また、上方側とは鉛直上方側、下方側とは鉛直下方側を意味するものとする。
【００１０】
そして、配線基板に取り付けられたチップ状のＬＥＤ素子を発光手段の光源として用いれば、発光手段及び配線基板のコンパクト化と製造コストの増加抑制を達成しやすくなる。
【００１１】
また、台板の前面側には入賞口に続く遊技球の流下通路を形成するとともに、発光手段を、台板の前面よりも前方かつ回動部材の下方に位置させて配線基板に取り付けることができる。こうすることで、発光手段に遊技球が接触するおそれがなく、また発光手段が遊技球の流下を阻害するおそれもなくなる。
【００１２】
ところで、遊技球誘導部材が遊技機用チューリップであるとき、一対の回動部材をほぼ平行な回動軸線を有する一対の羽根部材にて構成するとともに、第一の開口態様においてその一対の羽根部材の対向面をほぼ平行となす一方、第二の開口態様においてこれら対向面が入賞口を挟んでなす角（以下、羽根開き角という）αを９０°≦α≦１８０°に設定することが多い。このような場合に、回動軸線と直交する投影面において、対をなす発光手段の光軸が入賞口を挟んでなす角（以下、光軸挟角という）βを、β≦９０°となるように設定することができる。これによって、羽根開き角αを比較的大きくとれ、羽根部材が大きく開いて遊技者に有利な状態が発生しやすくなるとともに、羽根部材の対向面に対して発光手段の光軸が平行な形態（このとき光軸挟角β＝０°）、あるいは外側又は内側に傾斜した形態（このとき０°＜β≦９０°）となるよう適宜選択して、第一及び第二の開口態様のいずれに対しても羽根部材に向けて光を効率的に照射し、羽根部材をより明るく照明することができるようになる。
【００１３】
なお、光軸挟角βが９０°を超えると、配線基板の上下方向の取付寸法（取付面積）が大きくなり、回動部材（羽根部材）の下方空間を有効利用して遊技機用入賞装置の小型化を図るという本発明の効果が損なわれ、遊技機用入賞装置が上下方向に長くなるおそれがある。また、この光軸挟角βに関して、望ましくは０°≦β≦６０°の範囲で調整するとよい。光軸挟角βが６０°を超えると、光軸が回動部材の第一及び第二の開口態様の重複領域から外れて配置されるおそれがあり、回動部材に向けて光を効率的かつ集約的に照射しにくくなる。
【００１４】
ここで、上記光軸挟角βを０°＜β≦９０°（すなわち、第一の開口態様にある羽根部材の対向面に対して発光手段の光軸が外側又は内側に傾斜した形態）とするには、例えば、（１）一対の配線基板の発光手段取付面を水平面に対してそれぞれβ／２ずつ外側又は内側に傾斜させ、各発光手段の光軸を各発光手段取付面と直交させる方法、（２）発光手段取付面を水平状の一枚の配線基板とし、一対の発光手段の光軸を水平面（発光手段取付面）に対してそれぞれβ／２ずつ外側又は内側に傾斜させる方法などを採用することができる。このうち（１）の方法によるときは、発光手段取付面に対して光軸を直交させればよいので、発光手段の取り付けが行いやすい。一方、（２）の方法によるときは、一対の発光手段を一枚の配線基板に取り付けることができるので、コストダウンを図ることができる。ただし、（１）の場合における２枚（一対）の配線基板の傾斜角、又は（２）の場合における２個（一対）の発光手段の傾斜角をそれぞれβ1，β2（β1≠β2）とし、β1＋β2＝βに設定してもよい。
【００１５】
また、羽根開き角αと光軸挟角βとが、β≦α／２の関係を満たすように設定されるときは、遊技機用チューリップの羽根開き角αを十分大きく保ちながら、羽根部材の左右方向の間隔を広げたりすることなく、羽根部材に向けて光を効率的に照射することができる。
【００１６】
そして、回動部材を少なくとも下側を開放した箱型形状に構成するとともに、下方に位置する発光手段により回動部材の内面を照射する場合には、箱型形状の回動部材の壁面での光の反射又は透過によって、回動部材内部をさらに明るく照明することが可能となる。具体的には、左右方向の外側壁内面を上方ほど左右方向中心側へ向かう平面状又は曲面状（例えばＲ状曲面）に形成して内外側壁の内面間での光の反射を促進したり、前後方向の後壁内面を上方ほど前方側へ向かう平面状又は曲面状（例えばＲ状曲面）に形成することによって、後壁内面で反射した光を前方側に位置する遊技者に届けやすくしたりすることができる。
【００１７】
さらに、配線基板に関して、回動軸線方向の中間部を台板に挿通保持するとともに、その前端部に発光手段、その後端部に電源へ接続するための端子部をそれぞれ取り付けることができる。これによって、配線基板の中間部が台板に挿通保持されるので、ねじ等の締結部材を用いなくても配線基板を台板に抜けないように簡便に組み付け保持でき、端子部へのリード線の接続操作にも支障がない。
【００１８】
以上のようにして製造コストの増加が抑制され、小型化が図られた遊技機用入賞装置を遊技機に配置することにより、遊技機全体としての製造コストの抑制と小型化が達成できるとともに、興趣に富んだ盤面構成を実現することができるようになる。
【００１９】
【発明の実施の形態】
図１に示されるように、遊技機用入賞装置２００は、その台板２１２が遊技盤１０１の盤面１０１ａ（図１０参照）に対して前方側から取り付けられることにより、盤面１０１ａ上に配置される。この遊技機用入賞装置２００は、上記台板２１２の他に、ソレノイド２３０（駆動アクチュエータ）のコイル部２５３を収納保持する第一ハウジング２４３と、ソレノイド２３０の駆動出力部２３７の直線変位を回転変位に変換する伝達機構２４１を収納保持する第二ハウジング２１５と、伝達機構２４１により駆動される一対の回動部材２１０，２１０（遊技球誘導部材）を回動変位可能に支持し、前側装飾部を兼ねる第三ハウジング２１１と、を備えている。この実施例では、第二ハウジング２１５は台板２１２の後方側において、合成樹脂等によって台板２１２と一体成形されており、第一ハウジング２４３と第二ハウジング２１５とが盤面１０１ａの後方側に、一方、台板２１２と第三ハウジング２１１とが盤面１０１ａの前方側にそれぞれ配置される（図２（ｃ）参照）。
【００２０】
ソレノイド２３０は、コイルばね２３９を貫通しつつコイル部２５３内部に挿入された駆動出力部２３７を有するとともに、その駆動出力部２３７を複数の変位位置に直線的に駆動変位させる。そして駆動出力部２３７は、ソレノイド２３０の通電状態においては、コイルばね２３９の付勢に反してコイル部２５３内部に引き込まれ、図３（ａ）に示す通電解除状態においては、コイルばね２３９による付勢により（具体的には、コイルばね２３９が駆動出力部２３７に形成されたフランジ部２３７ａを押し出すことにより）、前方側に押し出されるようになっている。なお、ソレノイド２３０には、コイル部２５３に電力を供給するためのリード部（図示せず）が設けられ、そのリード部の端部には端子部（図示せず）が備えられている。
【００２１】
伝達機構２４１は、このような駆動出力部２３７の直線的な駆動変位を、その駆動出力部２３７と連動する１又は複数の中間伝達部材を介して、回動部材２１０の回動変位に変換しつつ回動部材２１０に伝達する。この実施例では、駆動出力部２３７の直線変位を中間伝達部材としての左右一対の回動伝達部２２１，２２１の回転変位（ここでは盤面１０１ａ（図１０参照）と平行で同軸状に第二ハウジング２１５に支持される一対の回動軸２２１ｄ，２２１ｄ回りの回動変位）に変換し、その回動伝達部２２１，２２１の回転変位をさらに一対の回動部材２１０，２１０の回動変位（ここでは盤面１０１ａと直交する一対の回動部材支持軸２１１ａ，２１１ａ回りの回動変位）に変換するように伝達機構２４１が構成されている。より具体的には、図３（ａ）に示すように、駆動出力部２３７に形成された前後一対のフランジ部２３７ａ間に、左右一対の回動伝達部２２１，２２１から各々内側に突出する係合部２２１ｃ，２２１ｃ（突起）を位置させる。さらに、回動伝達部２２１，２２１の先端に各々形成される作用部２２１ａ，２２１ａに対応した位置に、その作用部２２１ａ，２２１ａの作用を受ける被作用部としての突出部２１０ａ，２１０ａが、台板２１２に形成された被作用部導入口２１２ａ，２１２ａ（図１参照）から突出する形態で、回動部材２１０，２１０に各々形成されている。なお、２２１ｂは左右の回動伝達部２２１，２２１を連結する連結部である。
【００２２】
また、本実施例において遊技球誘導部材は、図２（ｂ）に示すように遊技盤１０１の盤面１０１ａ（図１０参照）と交差する軸線回りにおいて回動可能とされる一対の回動部材２１０，２１０を含むとともに、それら一対の回動部材２１０，２１０間に形成される隙間が遊技球の入賞口２０７とされ、その入賞口２０７が、遊技球が１球ごとに進入する第一の開口態様（図４（ａ））と、その第一の開口態様よりも広く開口する第二の開口態様（図４（ｂ））との少なくとも２つの開口態様となるようそれら一対の回動部材２１０，２１０が互いに相対変位するようになっている。なお、図２において、遊技機用入賞装置２００は、一対の回動部材２１０，２１０が一対の羽根部材として構成される遊技機用チューリップ（具体的には電動チューリップ）となっている。
【００２３】
さらに、遊技球誘導部材としての回動部材２１０，２１０は、盤面１０１ａ（図１０参照）と交差（直交）する軸線を回動軸線とするように、第三ハウジングとしての前側装飾部２１１及び／又は台板２１２において回動可能に支持されるようになっており、それら回動部材２１０，２１０が回動することにより入賞口２０７が開閉するようになっている。具体的には、図１に示すように、前側装飾部２１１に形成された回動部材支持軸２１１ａ，２１１ａが回動部材２１０に形成された支持軸挿入穴２１０ｂ，２１０ｂにそれぞれ挿入されるようになっており、回動部材２１０は、回動部材支持軸２１１ａの中心軸線を回転軸線として回動可能に支持されている。そして、回動部材支持軸２１１ａ，２１１ａにより回動部材２１０，２１０が支持された状態にて前側装飾部２１１と台板２１２が締結部材２７０（例えばねじ、ビス、ボルト等）により固定される。
【００２４】
そして、例えばソレノイド２３０の非通電状態（図２、図３（ａ）及び図４（ａ））においては、駆動出力部２３７が前方側に押し出されて第一の変位位置となり、回動伝達部２２１，２２１が回動軸２２１ｄ，２２１ｄ周りに下向き回動し、回動部材２１０，２１０が回動部材支持軸２１１ａ，２１１ａ周りに回動して、第一の開口態様（第一回動変位位置）となる。一方、ソレノイド２３０の通電状態（図４（ｂ））においては、駆動出力部２３７が後方側に引き込まれて第二の変位位置となり、回動伝達部２２１，２２１が回動軸２２１ｄ，２２１ｄ周りに上向き回動し、回動部材２１０，２１０が回動部材支持軸２１１ａ，２１１ａ周りに回動して、第二の開口態様（第二回動変位位置）となる。
【００２５】
図１に戻り、ソレノイド２３０は、コイル部２５３の側方を金属材質からなる側方板２５１ａ，２５１ａが囲むようになっており、前方側においては、その側方板２５１ａ，２５１ａと連結又は一体形成された前方板２５０が囲むようになっている。また、コイル部２５３の上方及び下方は開口している。
【００２６】
そして、締結部材２３５（例えばねじ、ビス、ボルト等）によってソレノイド２３０と第一ハウジング２４３が固定される。なお、盤面１０１ａ（図１０参照）とほぼ平行に設けられる前方板２５０に対し、直交又はほぼ直交するように側方板２５１ａ，２５１ａが取り付けられて固定されている。なお、これら側方板２５１ａ，２５１ａと背面板２５１ｂは、コの字状に形成される金属板材２５１の一部として一体形成されており、そのコの字状の金属板材２５１の両端縁が前方板２５０と固定される形となっている。
【００２７】
また、第三ハウジング２１１及び第二ハウジング２１５の下部には、遊技球（入賞球）を後方へ誘導するための樋２１１ｃ，２１５ａ（図３（ａ）参照）がそれぞれ形成されている。また、図３（ａ）のように台板２１２にはこのような樋の一部を構成する連通孔２１２ｃが形成されており、その連通孔２１２ｃの上方には、入球検知手段としてのスイッチ２２５が挿入され、該スイッチ２２５と嵌合するスイッチ配置孔２１２ｂが形成されている。スイッチ２２５には入賞口２０７を進入した遊技球が通過する通過孔２２５ａ（図２（ａ）及び図３（ａ）参照）が形成され、リード部２２６（図１）及び端子部２２７（図１）を介して外部装置に接続されるようになっている。
【００２８】
再び図１に戻り、台板２１２（中間支持部材）には一対の矩形状の貫通孔２１２ｄ，２１２ｄが左右振り分け状に形成されている（図５参照）。この貫通孔２１２ｄ，２１２ｄには、一対の配線基板２０６，２０６の長手方向（すなわち、回動部材２１０，２１０の回動軸線（回動部材支持軸２１１ａ，２１１ａ）方向）の中間部が挿通保持（貫通形態で保持）されている。この配線基板２０６，２０６の前端部には、配線基板２０６，２０６から所定の電力の供給を受けて一対の回動部材２１０，２１０を個別に照明するチップ状ＬＥＤ素子２０５，２０５（発光手段）が、各々上面側に突出して取り付けられている。なお、その後端部には電源へ接続するための端子部２６５及びリード部２６４が取り付けられている。配線基板２０６，２０６の中間部を台板２１２に挿通保持させることにより、配線基板２０６，２０６をバランスよく支持し、その前後部を有効活用できる。
【００２９】
このＬＥＤ素子２０５，２０５は、図５に示すように、回動部材２１０，２１０の下方に位置して、回動部材２１０，２１０に向けて照射する発光手段の光源を構成しており、回動部材２１０，２１０の下方空間の有効利用と発光手段のコンパクト化を図っている。具体的には、台板２１２の前面側には入賞口２０７に続く遊技球の流下通路が形成されるとともに、ＬＥＤ素子２０５，２０５は、台板２１２の前面よりも前方かつ回動部材２１０，２１０の下方に位置して配線基板２０６，２０６に取り付けられている（図４（ｂ）参照）。回動部材２１０，２１０で覆われることによりＬＥＤ素子２０５，２０５に遊技球が接触しないので、配線基板２０６，２０６の上面側に配線しても、導電性を有し台板２１２の前面側を流下する遊技球ＢによってＬＥＤ素子２０５，２０５が誤作動することを防止できる。
【００３０】
図３（ｂ）に示すように、配線基板２０６の後端部は第一ハウジング２４３（後方支持部材）の前面側に形成された第一凹陥部２４３ａに、その前端部は前側装飾部としての第三ハウジング２１１（前方支持部材）の後面側に形成された第二凹陥部２１１ｂに、それぞれ挿入保持されている。そして、第一ハウジング２４３と第二ハウジング２１５とが締結部材２８０（例えばねじ、ビス、ボルト等）により固定される。前述の通り、台板２１２（中間支持部材）と第三ハウジング２１１とは締結部材２７０で固定される（図１）。このように、一対の配線基板２０６，２０６の中間部を台板２１２の貫通孔２１２ｄ，２１２ｄに挿通保持させるとともに、その前後を第一ハウジング２４３と第三ハウジング２１１とによって挟むように保持することにより、配線基板２０６，２０６の取り付け（組み立て）が容易であり、締結部材２８０，２７０の締め付けによって配線基板２０６，２０６の前後端部は各凹陥部２１１ｂ，２４３ａから外れなくなる。なお、第三ハウジング２１１の壁面には、配線基板２０６を長手方向（すなわち、回動部材２１０，２１０の回動軸線（回動部材支持軸２１１ａ，２１１ａ）方向）にスライドさせるために、配線基板２０６の上面、下面及び外側面に沿わせる形で断面コの字形（図１参照）のガイド溝２１１ｄが一体成形されている。また、第一ハウジング２４３には、ＬＥＤ素子２０５に接続された端子部２６５と電源（図示せず）とを接続するために、リード部２６４（図１）挿入用の挿通孔２４３ｂが前後方向に貫通形成されている。
【００３１】
そして、ＬＥＤ素子２０５，２０５の光軸は、図５のように回動部材２１０，２１０の回動軸線（回動部材支持軸２１１ａ，２１１ａ）と直交する投影面において、ＬＥＤ素子２０５，２０５により照射される回動部材２１０，２１０が上記第一の開口態様（図５（ａ））及び第二の開口態様（図５（ｂ））にて重複する領域（図６における領域ＡＬ，ＡＲ参照）と重なり合う（重合する）ように配置されている。光軸のこのような配置により、第一及び第二の開口態様のいずれの場合にも回動部材２１０，２１０に光を効率的に照射することができる。
【００３２】
さらに、回動部材２１０，２１０は、下側及び前方側を開放した箱型形状に構成されるとともに、下方に位置するＬＥＤ素子２０５，２０５により回動部材２１０，２１０の内面が照射されている。本実施例では、ＬＥＤ素子２０５，２０５から発せられた光が回動部材２１０，２１０の内部にて反射を繰り返すことができるように、図５のように回動部材２１０，２１０の回動軸線（回動部材支持軸２１１ａ，２１１ａ）と直交する投影面において、回動部材２１０，２１０の外殻部内面２１０ｘ，２１０ｘを上方へ向かうにつれて中心側へ向かう曲面状（例えばＲ状）に形成してある。同様に、図１のＣ−Ｃ断面図のように回動部材２１０，２１０の回動軸線（回動部材支持軸２１１ａ，２１１ａ）を含む投影面において、回動部材２１０，２１０の外殻部内面２１０ｙ，２１０ｙを上方へ向かうにつれて前方側へ向かう曲面状（例えばＲ状）に形成してある。
【００３３】
なお、実施例の回動部材２１０，２１０の外殻部内面２１０ｘ，２１０ｘ，２１０ｙ，２１０ｙは、その本体部とともに合成樹脂、金属、セラミック等で一体成形しているため、回動部材２１０，２１０の内部補強リブの機能も有している。これら外殻部内面２１０ｘ，２１０ｘ，２１０ｙ，２１０ｙを、発光・蛍光・蓄光性の樹脂・塗料等を用いて成形・塗布等することにより、回動部材２１０，２１０の照度を向上させることができる。ただし、外殻部内面２１０ｘ，２１０ｘ，２１０ｙ，２１０ｙは回動部材２１０，２１０の本体部とは別に、例えば表面光沢を有する金属製の反射板（反射鏡）等を用いて構成してもよい。
【００３４】
ここで、ＬＥＤ素子２０５，２０５と羽根部材２１０，２１０（回動部材）との配置関係について、図５をさらに模式化した図６により説明する。一般に、遊技機用チューリップでは、一対の回動部材をほぼ平行な回動軸線（回動部材支持軸２１１Ｌａ，２１１Ｒａ）を有する一対の羽根部材２１０Ｌ，２１０Ｒにて構成するとともに、第一の開口態様（図６の実線）においてその一対の羽根部材２１０Ｌ，２１０Ｒの対向面ＰＬ，ＰＲをほぼ平行となす一方、第二の開口態様（図６の仮想線）においてこれら対向面ＰＬ，ＰＲが入賞口２０７を挟んでなす角（羽根開き角）αを９０°≦α≦１８０°（例えばα≒１４０°）に設定する場合が多い。
【００３５】
図６においても図５と同様に、ＬＥＤ素子２０５Ｌ，２０５Ｒの光軸ＯＬ，ＯＲは、羽根部材２１０Ｌ，２１０Ｒが第一の開口態様及び第二の開口態様にて重複する領域ＡＬ，ＡＲと重合して配置されている。そして、図６のように回動部材支持軸２１１Ｌａ，２１１Ｒａと直交する投影面において、対をなすＬＥＤ素子２０５Ｌ，２０５Ｒの光軸ＯＬ，ＯＲが入賞口２０７を挟んでなす角（光軸挟角）βを、β≦９０°で、かつβ≦α／２（例えばβ≒２０°）となるように設定する。このとき、光軸挟角βは上方に向かうにつれて広がるように形成され、光軸ＯＬ，ＯＲは各々外向きに傾斜している。光軸ＯＬ，ＯＲを外側傾斜とすることにより、入賞口２０７から流下する遊技球によって光線が遮られるおそれが少なくなる。また、光軸ＯＬ，ＯＲが回動部材支持軸２１１Ｌａ，２１１Ｒａの外側を通る場合には、光の遮断が一層少なくなり、かつ第一及び第二の開口態様のいずれに対しても羽根部材２１０Ｌ，２１０Ｒの内面を明るく照明しやすくなる。
【００３６】
上記のような光軸挟角βの形成方法としては、
（１）各ＬＥＤ素子２０５Ｌ，２０５Ｒの光軸ＯＬ，ＯＲが各ＬＥＤ素子取付面と直交した一対の配線基板２０６，２０６（図５）のＬＥＤ素子取付面を水平面に対してそれぞれ外向きに傾斜させる方法（図５，図６の方法）；
（２）ＬＥＤ素子取付面を水平状の一枚の配線基板２０６とし、一対のＬＥＤ素子２０５Ｌ，２０５Ｒの光軸ＯＬ，ＯＲを水平面（ＬＥＤ素子取付面）に対してそれぞれ外向きに傾斜させる方法；
等を採用することができる。これらの場合、配線基板２０６，２０６又はＬＥＤ素子２０５Ｌ，２０５Ｒの光軸ＯＬ，ＯＲの傾斜角βL，βRにおいて、βL≠βRかつβL＋βR＝βに設定してもよい。また、ＬＥＤ素子２０５Ｌ，２０５Ｒを前後方向に相対移動させたり、光軸ＯＬ，ＯＲを回動部材支持軸２１１Ｌａ，２１１Ｒａの軸線方向にも傾斜させたりすることもできる。
【００３７】
なお、図６からも明らかなように、第一の開口態様において、一対の羽根部材２１０Ｌ，２１０Ｒの対向面ＰＬ，ＰＲは、厳密には平行ではなく上方に向かうにつれてわずかに狭まるように形成されている。このようなわずかな傾斜角（およそ１〜３°）は、第一の開口態様（両羽根部材２１０Ｌ，２１０Ｒが閉の状態）において対向面ＰＬ，ＰＲを幾何学的な平行状に置いた場合、羽根部材２１０Ｌ，２１０Ｒの自重あるいは遊技球の衝突による衝撃力により羽根部材２１０Ｌ，２１０Ｒが不意に開くことのないように設けられているものである。したがって、本発明における羽根開き角αの算定に際しては、このような初期の傾斜角の存在は無視できる（無視してもよいし、算入してもよい）ものとして扱う。
【００３８】
図１０は、以上で述べた遊技機用入賞装置２００を備えた遊技機の一例を示している。なお、この遊技機１００においては、上記説明におけるいずれの遊技機用入賞装置２００をも適用できる。本実施例においては、いわゆるチューリップとも称される可変入賞装置を具体的な対象として説明したが、これに限定されない。
【００３９】
次に、図６の変形例について説明する。図７は、羽根部材２１０Ｌ，２１０Ｒの対向面ＰＬ，ＰＲに対して一対のＬＥＤ素子２０５Ｌ，２０５Ｒの光軸ＯＬ，ＯＲが平行な形態を表わしており、このとき光軸挟角β＝０°である。このタイプでは、一対のＬＥＤ素子２０５Ｌ，２０５Ｒを１枚の配線基板２０６に取り付けることができるのでコストダウンを図ることができ、また光軸ＯＬ，ＯＲを平行に設定するだけですむので調整が容易である。さらに、光軸ＯＬ，ＯＲが回動部材支持軸２１１Ｌａ，２１１Ｒａの内側及び外側のいずれを通ることもできるので配置の自由度が大きい。
【００４０】
図８では、光軸挟角βは下方に向かうにつれて広がるように形成され、光軸ＯＬ，ＯＲは各々内向きに傾斜している。光軸ＯＬ，ＯＲを内側傾斜とすることにより、光の散乱を少なくすることができる。また、光軸ＯＬ，ＯＲが回動部材支持軸２１１Ｌａ，２１１Ｒａの内側を通る場合には、羽根部材２１０Ｌ，２１０Ｒの内部中央を照らしやすくなるので、第一及び第二の開口態様のいずれに対しても羽根部材２１０Ｌ，２１０Ｒの内面を明るく照明しやすくなる。
【００４１】
さらに、図９のように回動部材支持軸２１１Ｌａ，２１１Ｒａと直交する投影面において、当初光軸挟角βは上方に向かうにつれて狭まるように形成され、ＬＥＤ素子２０５Ｌ，２０５Ｒの光軸ＯＬ，ＯＲが一旦交差した後、光軸挟角βは上方に向かうにつれて広まるように形成され、光軸ＯＬ，ＯＲは各々外向きに傾斜して、他方の側の羽根部材２１０Ｒ，２１０Ｌの内面を照らすこともできる。このタイプは図６と図８の組み合わせ型とも言え、光軸ＯＬ，ＯＲを途中で交差させることによって、異なる色のＬＥＤ素子２０５Ｌ，２０５Ｒから混合色を作り出す等新たな興趣を創造することもできる。また、光軸ＯＬ，ＯＲが回動部材支持軸２１１Ｌａ，２１１Ｒａの外側を通る場合には、光軸挟角βを比較的大きく形成して、ＬＥＤ素子２０５Ｌ，２０５Ｒを羽根部材２１０Ｒ，２１０Ｌに近づけることができる。
【００４２】
なお、図９のタイプにおいて、光軸ＯＬ，ＯＲの交差により照度が減衰する場合や光の混合を避けたい場合には、ＬＥＤ素子２０５Ｌ，２０５Ｒを前後方向に相対移動させたり、光軸ＯＬ，ＯＲを回動部材支持軸２１１Ｌａ，２１１Ｒａの軸線方向にも傾斜させたりすることで、両光軸ＯＬ，ＯＲが交差しないようにすればよい。
【００４３】
図６〜図９の各実施態様では、いずれもＬＥＤ素子を一対設ける場合について説明したが、複数対（例えば二対）のＬＥＤ素子を設置してもよい。このとき例えば、
（１）ＬＥＤ素子の対毎に光軸挟角βを異ならせることができる。
（２）ＬＥＤ素子の対毎に図６〜図９のうちの異なるタイプとすることができる。
（３）ＬＥＤ素子の対毎に前後方向の設置位置を異ならせることができる。
これらの実施態様を単独で又は複数組み合わせて用いることにより、例えば第一の開口態様に位置する回動部材を照明する第一のＬＥＤ素子対と、第二の開口態様に位置する回動部材を照明する第二のＬＥＤ素子対とを別々に設けることもでき、回動部材の照度をさらに増大させるとともに、第一及び第二の開口態様間での照度差を小さくする上で有効である。
【００４４】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にもおよび、かつ、当業者が通常有する知識に基づく改良を適宜付加することができる。
【００４５】
例えば、配線基板２０６は、中間部を台板２１２に挿通保持するとともに、前後端を凹部２１１ｂ，２４３ａで挟み保持することとしたが、ねじ、ビス、ボルト等の締結部材を用いて第一〜第三ハウジング２４３，２１５，２１１等に固定してもよい。また、本発明に係るすべての実施例及び変形例において、ＬＥＤ素子２０５Ｌ，２０５Ｒを前後方向に相対移動させたり、光軸ＯＬ，ＯＲを回動部材支持軸２１１Ｌａ，２１１Ｒａの軸線方向にも傾斜させたりすることができる。
【図面の簡単な説明】
【図１】本発明の遊技機用入賞装置の一例を示す斜視図。
【図２】ソレノイドの通電解除状態における入賞装置の平面図、正面図、側面図及び背面図。
【図３】図２（ｂ）のＤ−Ｄ断面図及び図２（ｄ）における主要部のＥ−Ｅ断面図。
【図４】（ａ）は第一開口態様、（ｂ）は第二開口態様をそれぞれ例示する入賞装置の斜視図。
【図５】図４において第三ハウジングを取り外した状態の正面図。
【図６】ＬＥＤ素子と回動部材との配置関係を示す模式図。
【図７】図６の第一変形例を示す模式図。
【図８】図６の第二変形例を示す模式図。
【図９】図６の第三変形例を示す模式図。
【図１０】遊技機用入賞装置を備えた遊技機の一例を示す正面図。
【符号の説明】
２００      遊技機用入賞装置
２０５      ＬＥＤ素子（発光手段）
２０６      配線基板
２１０      回動部材（羽根部材、遊技球誘導部材）
２１２      台板
２３０      ソレノイド（駆動アクチュエータ）
【図１】
0004222750.tif 000002
【図２】
0004222750.tif 000003
【図３】
0004222750.tif 000004
【図４】
0004222750.tif 000005
【図５】
0004222750.tif 000006
【図６】
0004222750.tif 000007
【図７】
0004222750.tif 000008
【図８】
0004222750.tif 000009
【図９】
0004222750.tif 000010
【図１０】
0004222750.tif 000011